(57)【要約】  【目的】開口枠を後付できるように構成しつつも、戸当り部材と両枠片とに間隙を生じさせないことにより、安定した開口枠を提供するものである。  【構成】壁面の壁開口部に取り付けられる開口枠であって、壁面の一面側及び開口部断面の一部に当接するよう設けられた第一枠辺と、該第一枠辺と嵌合するよう設けられるとともに第一枠辺と非当接側の壁面及び開口部断面に当接するよう設けられた第二枠辺と、第一枠辺若しくは第二枠辺のいずれか一方の開口部断面との非当接面と嵌合するよう設けられた戸当り部材と、からなることを特徴とする開口枠を提供する。【選択図】  図１
0003126105.tif 000002
【実用新案登録請求の範囲】
【請求項１】
壁面の壁開口部に取り付けられる開口枠であって、
壁面の一面側及び開口部断面の一部に当接するよう設けられた第一枠辺と、
該第一枠辺と嵌合するよう設けられるとともに第一枠辺と非当接側の壁面及び開口部断面に当接するよう設けられた第二枠辺と、
第一枠辺若しくは第二枠辺のいずれか一方の開口部断面との非当接面と嵌合するよう設けられた戸当り部材と、からなることを特徴とする開口枠。
【請求項２】
壁面と当接する第一枠辺及び第二枠辺の角部に傾斜を設けることを特徴とする請求項１に記載の開口枠。
【請求項３】
第一枠辺又は第二枠辺の少なくとも一方に係止部材のガイド溝が設けられていることを特徴とする請求項１又は２のいずれかに記載の開口枠。
【考案の詳細な説明】
【技術分野】
【０００１】
本考案は、壁に戸や窓等の建具を取りつけるために設けられる壁開口部に開口枠を取り付ける技術に関する。
【背景技術】
【０００２】
従来、開口部へ開口枠を取り付ける工事は、間仕切り壁の軸組み工事と同時に行われていた。そのため、開口枠は間仕切り壁の厚さに嵌合できるように形成されていた。
【０００３】
しかしながら、開口枠が間仕切り壁の軸組み工事と同時に行われていると、壁等の取り付けに不具合が生じた際に、該開口枠を外し、再度取り付ける作業が生じたため、修理が煩雑であるのと同時に、その作業中に別の壁部分にぶつけるなどして、せっかく仕上がった製品を傷つけてしまうこともあった。
【０００４】
さらに、開口枠が取り付けられたままクロス工事や住宅機器の搬入がされると、木製をはじめとする部材で構成される開口枠を傷つけるおそれもあった。
【０００５】
そこで、後付の開口枠の取付方法が考案され、特許文献１において既に開示されている。該特許文献１発明は、一面及び他面からなる壁の開口部に、一面側、他面側の両側から、縦に２分割した枠片を夫々取り付け、両枠片を互いに嵌合連結して開口枠を構成するものである。
【０００６】
【特許文献１】特願平０９−１１９２６７
【考案の開示】
【考案が解決しようとする課題】
【０００７】
しかしながら、上記特許文献１発明によれば、２分割した枠片を夫々取り付け、両枠片を互いに嵌合連結して開口枠を構成しているため、壁厚が変更になった場合に、連結片と両枠片との間に間隙が生じ、連結片がガタつく、といった問題があった。
【０００８】
そこで、本発明では開口枠を後付できるように構成しつつも、連結片と両枠片とに間隙を生じさせないことにより、安定した開口枠を提供するものである。
【課題を解決するための手段】
【０００９】
本考案は、
（１）壁面の壁開口部に取り付けられる開口枠であって、
壁面の一面側及び開口部断面の一部に当接するよう設けられた第一枠辺と、
該第一枠辺と嵌合するよう設けられるとともに第一枠辺と非当接側の壁面及び開口部断面に当接するよう設けられた第二枠辺と、
第一枠辺若しくは第二枠辺のいずれか一方の開口部断面との非当接面と嵌合するよう設けられた戸当り部材と、からなることを特徴とする開口枠を提供することにより、上記課題を解決する。
（２）壁面と当接する第一枠辺及び第二枠辺の角部に傾斜を設けることを特徴とする（１）に記載の開口枠を提供することにより、上記課題を解決する。
（３）第一枠辺又は第二枠辺の少なくとも一方に係止部材のガイド溝が設けられていることを特徴とする（１）又は（２）のいずれかに記載の開口枠
【考案の効果】
【００１０】
本考案に係る開口部は上記のような構成のため、
（１）開口枠が後付であるため、壁部などに修理が必要となった場合でも開口部を外す必要がなく、修理が容易という作用効果が得られる。
【００１１】
（２）また、開口部が後付であるため、工事の際や機器搬入時に開口部を傷つけるおそれがない。
【００１２】
（３）戸当り部材が第一枠辺又は第二枠辺との嵌合に関与していないので、壁厚が変更された場合でも扉の収まりに問題を生じない。
【００１３】
（４）壁厚が変更された場合でも、第一枠辺又は第二枠辺の嵌合部に生じた間隙部により調節が可能であり、非開口部断面側（戸当り部材側）の当該間隙は戸当り部材が覆うため、外部に間隙が露出することはない。
【考案を実施するための最良の形態】
【００１４】
本考案に係る開口枠の実施の形態について図面に基づいて説明する。
【００１５】
図１は第一枠辺及び第二枠辺、更に戸当り部材の断面図である。図２は壁面に本考案開口枠を取り付けた場合の断面図である。図３は本考案開口枠を取り付けた場合の全体図である。
【００１６】
本考案開口枠は図１に示されるように、第一枠辺１、第二枠辺２、戸当り部材３を基本構成とする。
【００１７】
第一枠辺１と第二枠辺２は相嵌合するように何れか一方に凹部、他方に凸部が形成されている。本最良の形態では第一枠辺１に凸部１１Ａ、第二枠辺２に凹部２１Ａがそれぞれ設けられている。この第一枠辺１と第二枠辺２は壁厚に合せて嵌合される。つまり、壁厚が大きい場合、図２に示すように、第一枠辺１と第二枠辺２の間に間隙Ａ、Ｂ、Ｃができることによって、種々の壁厚に対応できる。
【００１８】
戸当り部材３は図３に示すように扉９と接触することにより、扉（建具）等の開閉に必要な部材である。この戸当り部材３が第一枠辺１若しくは第二枠辺２のいずれか一方の開口部断面とは非当接の面、望ましくは第二枠辺２の当該面に嵌合するように設けられている。この位置に設けられるため、戸当り部材３は第一枠辺１と第二枠辺２の嵌合には関与せず、第一枠辺１と第二枠辺２との連結にも関わらない。そのため、壁厚が大きい場合に、第一枠辺１と第二枠辺２の間に間隙Ａ、Ｂ、Ｃができたとしても、戸当り部材３には影響を与えない。又、戸当り部材３が間隙Ａを覆うため、外観に間隙が現れることはなく、美感も損ねない。
【００１９】
各部材について詳細に説明する。図１及び図２に示すように、第一枠辺１は心材１１に化粧板１２を一体化させて構成される。化粧板１２は端部１２Ｂにおいて壁面と当接するように心材１１に差し込まれている。化粧板端部１２Ｂが心材１１に差し込まれることによって、化粧板と心材の剥離を防ぐことができる。
【００２０】
第一枠辺１の凸部１１Ａは第二枠辺の凹部２１Ａと嵌合し、化粧板端部１２Ｂの壁面側の面では、壁面の一面側と当接する。この角部１３は傾斜しており、クロス６が張られる際に、壁面５と化粧板端部１２Ｂの隙間にヘラなどで押し込めるように構成されている。又、第一枠辺１は壁面５の開口部断面の一部に当接するよう設けられている。
【００２１】
第二枠辺２も心材２１に化粧板２２を一体化させて構成される。化粧板２２は端部２２Ｂにおいて壁面と当接するように心材２１に差し込まれている。
【００２２】
第二枠辺２と開口部断面の間には施工時にパッキン７が設けられることが好ましい。このパッキン７は後述する上部枠辺１０との嵌合の際のガイドとなるものである。
【００２３】
第二枠辺２の開口部断面との非当接面には、戸当り部材と嵌合するよう凹部２１Ｃを設けることが望ましい。尚、この凹部は第一枠辺１に設けることもできる。
【００２４】
第二枠辺２若しくは第一枠辺１の少なくとも一方にはビスや釘などの係止部材をガイドするためのガイド溝４を設けることが望ましい。第一枠辺１１及び第二枠辺２１を嵌合させた後の固定の際にビスで係止しやすいためである。尚、本最適な実施例においては第二枠辺２に設けている。
【００２５】
又、第二枠辺２は第一枠辺と非当接側の壁面及び開口部断面に当接するように設けられている。壁面と当接する側の第二枠辺２の端部２２Ｂは、壁面と当接する角部２３において第一枠辺１の角部１３と同様に傾斜が設けられている。
【００２６】
次に戸当り部材３について説明する。本部材も第一枠辺１及び第二枠辺２と同様に、心材３１に化粧板３２を一体化させて構成される。
【００２７】
戸当り部材３には凸部３１Ｃが設けられており、第二枠辺２の凹部２１Ｃと嵌合する。
【００２８】
戸当り部材３は第一枠辺１及び第二枠辺２の嵌合部まで覆える長さを持っていることが望ましい。これにより、第一枠辺１及び第二枠辺２の間に間隙Ａが生じたとしても、覆うことができるようにするためである。間隙Ｂ、Ｃは内部にあるため、外観に露出することはない。また、第一枠辺１及び第二枠辺２はしっかりと固定されているため、間隙Ａ、Ｂ、Ｃがガタツキを生じさせることもない。
【００２９】
図４は上部枠辺１０を示した図である。上部枠辺は第二枠辺２と同様、戸当り部材３と嵌合できるように、凹部が設けられている。図３で明らかなように、上部枠辺１０は開口枠の上側の辺に設けられる。図５に示すように、第一枠辺１及び第二枠辺２の上部はカギ形状となっているため、上部枠辺１０と嵌合するようになっている。上部枠辺１０は第一枠辺及び第二枠辺と同様、心材と化粧版が接合した一部材である。上部枠辺１０の開口部断面側にはパッキン７が設けられており、このパッキンは第一枠辺１及び第二枠辺２のとの嵌合の際にガイドとなる。
【図面の簡単な説明】
【００３０】
【図１】第一枠辺、第二枠辺、戸当り部材の断面図。
【図２】壁面に本考案開口枠を取り付けた場合の断面図。
【図３】本考案開口枠を取り付けた場合の全体図。
【図４】上部枠辺の断面図。
【図５】第一枠辺、第二枠辺、上部枠辺、戸当り部材の構成図。
【符号の説明】
【００３１】
１  第一枠辺
２  第二枠辺
３  戸当り部材
１０  上部枠辺
１３、２３  角部
４  ガイド溝
【図１】
0003126105.tif 000003
【図２】
0003126105.tif 000004
【図３】
0003126105.tif 000005
【図４】
0003126105.tif 000006
【図５】
0003126105.tif 000007